(57)【要約】      （修正有）【課題】バックライトの個体間のバラツキに関係なく表示画面の輝度むらを補正することのできる液晶表示装置を提供する。【解決手段】液晶表示パネル２６と、液晶表示パネル２６の背面から光を照射するバックライト用ランプ１４とを備え、表示データを液晶表示パネル２６に表示する液晶表示装置において、複数の輝度センサ１５により液晶表示パネル２６のエリアごとの輝度を測定し、より輝度センサ１５の輝度データを輝度補正データ生成回路１６に入力して輝度設定信号３１とエリア補正係数データ３２を生成し、輝度設定信号３１に基づきバックライト用ランプ１４の明るさを調整し、エリア補正係数データ３２により液晶表示画面の輝度むらをエリアごとに調整する。【選択図】図６
2006330187.tif 000002
【特許請求の範囲】
【請求項１】
液晶表示パネルと、前記液晶表示パネルの背面から光を照射するバックライト用ランプとを備え、表示データを前記液晶表示パネルに表示する液晶表示装置において、
前記液晶表示パネルのエリアごとの輝度を測定する複数の輝度センサと、
前記輝度センサで前記エリアごとに測定された輝度データに基づきエリア補正係数データを生成する輝度補正データ生成回路と、
生成された前記エリア補正係数データに基づき映像データを補正して表示データを出力する表示データ補正手段を備えたことを特徴とする液晶表示装置。
【請求項２】
前記エリア補正係数データを記憶するエリア補正係数テーブルと、
前記エリア補正係数テーブルに記憶された前記エリア補正係数データに基づき映像データを補正して表示データを出力する表示データ補正手段を備えたことを特徴とする請求項１に記載の液晶表示装置。
【請求項３】
前記輝度補正データ生成回路で生成された前記エリア補正係数データを外部メモリに記憶し、該外部メモリに記憶された前記エリア補正係数データを前記エリア補正係数テーブルに記憶することを特徴とする請求項２に記載の液晶表示装置。
【請求項４】
前記輝度補正データ生成回路は、前記複数の輝度センサのうち特定の輝度データに基づき階調補正係数データを生成すると共に前記輝度センサで前記エリアごとに測定された輝度データに基づき前記エリア補正係数データを生成し、
前記階調補正係数データを記憶する階調補正係数テーブルを備え、
前記表示データ補正手段は、前記階調補正係数テーブルと前記エリア補正係数テーブルのデータを参照して映像データを補正して表示データを出力することを特徴とする請求項２又は請求項３に記載の液晶表示装置。
【請求項５】
前記輝度補正データ生成回路で生成された前記階調補正係数データと前記エリア補正係数データを外部メモリに記憶し、該外部メモリに記憶された前記階調補正係数データと前記エリア補正係数データを前記階調補正係数テーブルと前記エリア補正係数テーブルに記憶することを特徴とする請求項４に記載の液晶表示装置。
【請求項６】
前記階調補正係数データは前記複数の輝度センサのうち最も輝度の低い輝度データに基づき生成されることを特徴とする請求項４又は請求項５に記載の液晶表示装置。
【請求項７】
前記階調補正係数データは前記複数の輝度センサのうち最も輝度の低い輝度データに基づき、該最も輝度の低い輝度データが予め定めた基準輝度レベルになるように前記バックライト用ランプの輝度を調整することを特徴とする請求項４乃至請求項６のいずれか一項に記載の液晶表示装置。
【請求項８】
前記輝度補正データ生成回路は、前記複数の輝度センサの輝度データうち特定の輝度データに基づき輝度設定信号を生成すると共に前記輝度センサで前記エリアごとに測定された輝度データに基づき前記エリア補正係数データを生成し、
前記輝度設定信号に基づき前記バックライト用ランプの輝度を補正するランプ輝度制御回路を備えることを特徴とする請求項２又は請求項３に記載の液晶表示装置。
【請求項９】
前記輝度設定信号は前記複数の輝度センサのうち最も輝度の低い輝度データに基づき生成されることを特徴とする請求項８に記載の液晶表示装置。
【請求項１０】
前記輝度設定信号は前記複数の輝度センサのうち最も輝度の低い輝度データに基づき、該最も輝度の低い輝度データが予め定めた基準輝度レベルになるように前記バックライト用ランプの輝度を調整することを特徴とする請求項８又は請求項９に記載の液晶表示装置。
【請求項１１】
前記輝度センサは、前記バックライト用ランプの輝度を測定することを特徴とする請求項１乃至請求項１０に記載の液晶表示装置。
【請求項１２】
前記輝度センサは、前記バックライト用ランプの前記液晶表示パネルを通過してきた光の輝度を測定することを特徴とする請求項１乃至請求項７のいずれか一項に記載の液晶表示装置。
【請求項１３】
前記輝度センサは、前記液晶表示パネルの表示画面をマトリックス状に複数のエリアに区分された該エリアごとの輝度を測定することを特徴とする請求項１乃至請求項１２のいずれか一項に記載の液晶表示装置。
【請求項１４】
前記エリア補正データは、前記バックライト用ランプによるエリアごとの輝度が予め定めた基準輝度レベルになるように生成されることを特徴とする請求項１乃至請求項１３のいずれか一項に記載の液晶表示装置。
【請求項１５】
液晶表示パネルの背面から光を照射するバックライト用ランプを備える液晶表示装置の輝度むら補正方法において、
複数の輝度センサにより前記液晶表示パネルのエリアごとの輝度を測定し、
前記輝度センサで前記エリアごとに検出された輝度データに基づきエリア補正係数データを生成し、
生成された前記エリア補正係数データを参照して映像データを補正して表示データを出力することを特徴とする液晶表示装置の輝度むら補正方法。
【請求項１６】
前記エリア補正係数データを記憶し、
記憶された前記エリア補正係数データを参照して映像データを補正して表示データを出力することを特徴とする請求項１５に記載の液晶表示装置の輝度むら補正方法。
【請求項１７】
前記エリア補正係数データを外部メモリに記憶し、
該外部メモリに記憶された前記エリア補正係数データをエリア補正係数テーブルに記憶することを特徴とする請求項１６に記載の液晶表示装置の輝度むら補正方法。
【請求項１８】
前記複数の輝度センサのうち特定の輝度データに基づき階調補正係数データを生成すると共に前記輝度センサで前記エリアごとに測定された輝度データに基づき前記エリア補正係数データを生成し、
前記階調補正係数データを記憶し、
該記憶された前記階調補正係数データと前記エリア補正係数データを参照して映像データを補正して表示データを出力することを特徴とする請求項１６又は請求項１７に記載の液晶表示装置の輝度むら補正方法。
【請求項１９】
前記階調補正係数データと前記エリア補正係数データを外部メモリに記憶し、該外部メモリに記憶された前記階調補正係数データと前記エリア補正係数データを階調補正係数テーブルとエリア補正係数テーブルに記憶し、
前記階調補正係数テーブルと前記エリア補正係数テーブルに記憶された前記階調補正係数データと前記エリア補正係数データを参照して映像データを補正して表示データを出力することを特徴とする請求項１８に記載の液晶表示装置の輝度むら補正方法。
【請求項２０】
前記階調補正係数データは前記複数の輝度センサのうち最も輝度の低い輝度データに基づき生成されることを特徴とする請求項１８又は請求項１９に記載の液晶表示装置の輝度むら補正方法。
【請求項２１】
前記階調補正係数データは前記複数の輝度センサのうち最も輝度の低い輝度データに基づき、該最も輝度の低い輝度データが予め定めた基準輝度レベルになるように前記バックライト用ランプの輝度を調整することを特徴とする請求項１８乃至請求項２０のいずれか一項に記載の液晶表示装置の輝度むら補正方法。
【請求項２２】
前記複数の輝度センサの輝度データのうち特定の輝度データに基づき輝度設定信号を生成すると共に前記輝度センサで前記エリアごとに測定された輝度データに基づき前記エリア補正係数データを生成し、
前記輝度設定信号に基づき前記バックライト用ランプの輝度を補正することを特徴とする請求項１６又は請求項１７に記載の液晶表示装置の輝度むら補正方法。
【請求項２３】
前記輝度設定信号は前記複数の輝度センサのうち最も輝度の低い輝度データに基づき生成されることを特徴とする請求項２２に記載の液晶表示装置の輝度むら補正方法。
【請求項２４】
前記輝度設定信号は前記複数の輝度センサのうち最も輝度の低い輝度データに基づき、該最も輝度の低い輝度データが予め定めた基準輝度レベルになるように前記バックライト用ランプの輝度を調整することを特徴とする請求項２２又は請求項２３に記載の液晶表示装置の輝度むら補正方法。
【請求項２５】
前記輝度センサは、前記バックライト用ランプの輝度を測定することを特徴とする請求項１５乃至請求項２４に記載の液晶表示装置の輝度むら補正方法。
【請求項２６】
前記輝度センサは、前記バックライト用ランプの前記液晶表示パネルを通過してきた光の輝度を測定することを特徴とする請求項１５乃至請求項２１のいずれか一項に記載の液晶表示装置の輝度むら補正方法。
【請求項２７】
前記輝度センサは、前記液晶表示パネルの表示画面をマトリックス状に複数のエリアに区分された該エリアごとの輝度を測定することを特徴とする請求項１５乃至請求項２６のいずれか一項に記載の液晶表示装置の輝度むら補正方法。
【請求項２８】
前記エリア補正データは、前記バックライト用ランプによるエリアごとの輝度が予め定めた基準輝度レベルになるように生成されることを特徴とする請求項１５乃至請求項２７のいずれか一項に記載の液晶表示装置の輝度むら補正方法。
【発明の詳細な説明】
【技術分野】
【０００１】
本発明は液晶表示装置に係り、特にバックライトの輝度むらに起因する表示画面の輝度むらを少なくすることのできる液晶表示装置、及びその輝度むら補正方法に関する。
【背景技術】
【０００２】
液晶表示装置に用いられているバックライトの照射方式には、光源の光を液晶表示パネルの背面から直接照射する直下方式と、光源の光を導光板を介して液晶表示パネルに照射するサイドライト方式（或いはエッジライト方式）がある。最近は液晶表示装置の大型化に伴い直下方式が多く採用されるようになってきている。
【０００３】
直下方式に関する従来技術を挙げると特開平８−９４８４５号公報（特許文献１）、特開２００４−１０９２０５号公報（特許文献２）などがある。これら特許文献１、２にも記載されているように、バックライトによる輝度むらが生じる問題がある。この輝度むらを改善するため特許文献１に記載された従来技術では、バックライトとして使用する直管形低電圧灯の閉塞端部と封止端部を互い違いに並べることにより輝度むらを分散するようにしている。また、特許文献２に記載された従来技術では、反射板の反射角を一部変えることにより輝度むらを改善している。
【０００４】
また、サイドライト方式に関する従来技術を挙げると特開平６−３１３８８３号公報（特許文献３）、特開平１０−１７０９１９号公報（特許文献４）などがある。これら特許文献３、４にも記載されているように、バックライトによる輝度むらが生じる問題がある。この輝度むらを改善するため特許文献３に記載された従来技術では、導光板裏面の光乱反射層のパターン密度を非対称にすることで輝度むらを防止するようにしている。また、特許文献４に記載された従来技術では、拡散板の光源に近い面にドット状に形成した光量制御部を設けて輝度むらを改善している。
【０００５】
また、冷陰極管１と液晶表示パネルの間に濃淡を印刷したシートを挿入して明るさの均一化を図る方法なども採用されていた。
【特許文献１】特開平８−９４８４５号公報
【特許文献２】特開２００４−１０９２０５号公報
【特許文献３】特開平６−３１３８８３号公報
【特許文献４】特開平１０−１７０９１９号公報
【発明の開示】
【発明が解決しようとする課題】
【０００６】
上記従来技術では輝度の補正が一律補正になり、個体間のバラツキを補正することは困難であった。特許文献１の従来技術ではバックライトとして使用する直管形低電圧灯の閉塞端部と封止端部を互い違いに並べてはいるが、直管形低電圧灯にもそれぞれ個体差があり、互い違いに並べた複数の閉塞端部の全てにおいて輝度が同じになることは難しく、また、互い違いに並べた複数の封止端部の全てにおいて輝度が同じになることは難しい。
【０００７】
また、特許文献２の従来技術では液晶表示パネルのサイズや配置方向が異なれば反射板の反射角をそれぞれ適切な値になるように変える必要がある。
また、特許文献３、４の従来技術では液晶表示パネルのサイズや配置方向が異なればそれぞれ異なるシートを使用する必要があった。また、特許文献３、４の従来技術では輝度むらを打ち消すように輝度を減少させるパターンを設けているものであるが、個体差を補正するようにパターンを設けることは困難である。
【０００８】
本発明の目的は、上記問題点に鑑み、バックライトの個体間のバラツキに関係なく表示画面の輝度むらを補正することのできる液晶表示装置を提供することにある。
【課題を解決するための手段】
【０００９】
本発明の請求項１に係る発明の要旨は、液晶表示パネルと、前記液晶表示パネルの背面から光を照射するバックライト用ランプとを備え、表示データを前記液晶表示パネルに表示する液晶表示装置において、前記液晶表示パネルのエリアごとの輝度を測定する複数の輝度センサと、前記輝度センサで前記エリアごとに測定された輝度データに基づきエリア補正係数データを生成する輝度補正データ生成回路と、生成された前記エリア補正係数データに基づき映像データを補正して表示データを出力する表示データ補正手段を備えたことを特徴とする液晶表示装置に存する。
また、本発明の請求項２に係る発明の要旨は、前記エリア補正係数データを記憶するエリア補正係数テーブルと、前記エリア補正係数テーブルに記憶された前記エリア補正係数データに基づき映像データを補正して表示データを出力する表示データ補正手段を備えたことを特徴とする請求項１に記載の液晶表示装置に存する。
また、本発明の請求項３に係る発明の要旨は、前記輝度補正データ生成回路で生成された前記エリア補正係数データを外部メモリに記憶し、該外部メモリに記憶された前記エリア補正係数データを前記エリア補正係数テーブルに記憶することを特徴とする請求項２に記載の液晶表示装置に存する。
また、本発明の請求項４に係る発明の要旨は、前記輝度補正データ生成回路は、前記複数の輝度センサのうち特定の輝度データに基づき階調補正係数データを生成すると共に前記輝度センサで前記エリアごとに測定された輝度データに基づき前記エリア補正係数データを生成し、前記階調補正係数データを記憶する階調補正係数テーブルを備え、前記表示データ補正手段は、前記階調補正係数テーブルと前記エリア補正係数テーブルのデータを参照して映像データを補正して表示データを出力することを特徴とする請求項２又は請求項３に記載の液晶表示装置に存する。
また、本発明の請求項５に係る発明の要旨は、前記輝度補正データ生成回路で生成された前記階調補正係数データと前記エリア補正係数データを外部メモリに記憶し、該外部メモリに記憶された前記階調補正係数データと前記エリア補正係数データを前記階調補正係数テーブルと前記エリア補正係数テーブルに記憶することを特徴とする請求項４に記載の液晶表示装置に存する。
また、本発明の請求項６に係る発明の要旨は、前記階調補正係数データは前記複数の輝度センサのうち最も輝度の低い輝度データに基づき生成されることを特徴とする請求項４又は請求項５に記載の液晶表示装置に存する。
また、本発明の請求項７に係る発明の要旨は、前記階調補正係数データは前記複数の輝度センサのうち最も輝度の低い輝度データに基づき、該最も輝度の低い輝度データが予め定めた基準輝度レベルになるように前記バックライト用ランプの輝度を調整することを特徴とする請求項４乃至請求項６のいずれか一項に記載の液晶表示装置に存する。
また、本発明の請求項８に係る発明の要旨は、前記輝度補正データ生成回路は、前記複数の輝度センサの輝度データうち特定の輝度データに基づき輝度設定信号を生成すると共に前記輝度センサで前記エリアごとに測定された輝度データに基づき前記エリア補正係数データを生成し、前記輝度設定信号に基づき前記バックライト用ランプの輝度を補正するランプ輝度制御回路を備えることを特徴とする請求項２又は請求項３に記載の液晶表示装置に存する。
また、本発明の請求項９に係る発明の要旨は、前記輝度設定信号は前記複数の輝度センサのうち最も輝度の低い輝度データに基づき生成されることを特徴とする請求項８に記載の液晶表示装置に存する。
また、本発明の請求項１０に係る発明の要旨は、前記輝度設定信号は前記複数の輝度センサのうち最も輝度の低い輝度データに基づき、該最も輝度の低い輝度データが予め定めた基準輝度レベルになるように前記バックライト用ランプの輝度を調整することを特徴とする請求項８又は請求項９に記載の液晶表示装置に存する。
また、本発明の請求項１１に係る発明の要旨は、前記輝度センサは、前記バックライト用ランプの輝度を測定することを特徴とする請求項１乃至請求項１０に記載の液晶表示装置に存する。
また、本発明の請求項１２に係る発明の要旨は、前記輝度センサは、前記バックライト用ランプの前記液晶表示パネルを通過してきた光の輝度を測定することを特徴とする請求項１乃至請求項７のいずれか一項に記載の液晶表示装置に存する。
また、本発明の請求項１３に係る発明の要旨は、前記輝度センサは、前記液晶表示パネルの表示画面をマトリックス状に複数のエリアに区分された該エリアごとの輝度を測定することを特徴とする請求項１乃至請求項１２のいずれか一項に記載の液晶表示装置に存する。
また、本発明の請求項１４に係る発明の要旨は、前記エリア補正データは、前記バックライト用ランプによるエリアごとの輝度が予め定めた基準輝度レベルになるように生成されることを特徴とする請求項１乃至請求項１３のいずれか一項に記載の液晶表示装置に存する。
また、本発明の請求項１５に係る発明の要旨は、液晶表示パネルの背面から光を照射するバックライト用ランプを備える液晶表示装置の輝度むら補正方法において、複数の輝度センサにより前記液晶表示パネルのエリアごとの輝度を測定し、前記輝度センサで前記エリアごとに検出された輝度データに基づきエリア補正係数データを生成し、生成された前記エリア補正係数データを参照して映像データを補正して表示データを出力することを特徴とする液晶表示装置の輝度むら補正方法に存する。
また、本発明の請求項１６に係る発明の要旨は、前記エリア補正係数データを記憶し、記憶された前記エリア補正係数データを参照して映像データを補正して表示データを出力することを特徴とする請求項１５に記載の液晶表示装置の輝度むら補正方法に存する。
また、本発明の請求項１７に係る発明の要旨は、前記エリア補正係数データを外部メモリに記憶し、該外部メモリに記憶された前記エリア補正係数データをエリア補正係数テーブルに記憶することを特徴とする請求項１６に記載の液晶表示装置の輝度むら補正方法に存する。
また、本発明の請求項１８に係る発明の要旨は、前記複数の輝度センサのうち特定の輝度データに基づき階調補正係数データを生成すると共に前記輝度センサで前記エリアごとに測定された輝度データに基づき前記エリア補正係数データを生成し、前記階調補正係数データを記憶し、該記憶された前記階調補正係数データと前記エリア補正係数データを参照して映像データを補正して表示データを出力することを特徴とする請求項１６又は請求項１７に記載の液晶表示装置の輝度むら補正方法に存する。
また、本発明の請求項１９に係る発明の要旨は、前記階調補正係数データと前記エリア補正係数データを外部メモリに記憶し、該外部メモリに記憶された前記階調補正係数データと前記エリア補正係数データを階調補正係数テーブルとエリア補正係数テーブルに記憶し、前記階調補正係数テーブルと前記エリア補正係数テーブルに記憶された前記階調補正係数データと前記エリア補正係数データを参照して映像データを補正して表示データを出力することを特徴とする請求項１８に記載の液晶表示装置の輝度むら補正方法に存する。
また、本発明の請求項２０に係る発明の要旨は、前記階調補正係数データは前記複数の輝度センサのうち最も輝度の低い輝度データに基づき生成されることを特徴とする請求項１８又は請求項１９に記載の液晶表示装置の輝度むら補正方法に存する。
また、本発明の請求項２１に係る発明の要旨は、前記階調補正係数データは前記複数の輝度センサのうち最も輝度の低い輝度データに基づき、該最も輝度の低い輝度データが予め定めた基準輝度レベルになるように前記バックライト用ランプの輝度を調整することを特徴とする請求項１８乃至請求項２０のいずれか一項に記載の液晶表示装置の輝度むら補正方法に存する。
また、本発明の請求項２２に係る発明の要旨は、前記複数の輝度センサの輝度データのうち特定の輝度データに基づき輝度設定信号を生成すると共に前記輝度センサで前記エリアごとに測定された輝度データに基づき前記エリア補正係数データを生成し、前記輝度設定信号に基づき前記バックライト用ランプの輝度を補正することを特徴とする請求項１６又は請求項１７に記載の液晶表示装置の輝度むら補正方法に存する。
また、本発明の請求項２３に係る発明の要旨は、前記輝度設定信号は前記複数の輝度センサのうち最も輝度の低い輝度データに基づき生成されることを特徴とする請求項２２に記載の液晶表示装置の輝度むら補正方法に存する。
また、本発明の請求項２４に係る発明の要旨は、前記輝度設定信号は前記複数の輝度センサのうち最も輝度の低い輝度データに基づき、該最も輝度の低い輝度データが予め定めた基準輝度レベルになるように前記バックライト用ランプの輝度を調整することを特徴とする請求項２２又は請求項２３に記載の液晶表示装置の輝度むら補正方法に存する。
また、本発明の請求項２５に係る発明の要旨は、前記輝度センサは、前記バックライト用ランプの輝度を測定することを特徴とする請求項１５乃至請求項２４に記載の液晶表示装置の輝度むら補正方法に存する。
また、本発明の請求項２６に係る発明の要旨は、前記輝度センサは、前記バックライト用ランプの前記液晶表示パネルを通過してきた光の輝度を測定することを特徴とする請求項１５乃至請求項２１のいずれか一項に記載の液晶表示装置の輝度むら補正方法に存する。
また、本発明の請求項２７に係る発明の要旨は、前記輝度センサは、前記液晶表示パネルの表示画面をマトリックス状に複数のエリアに区分された該エリアごとの輝度を測定することを特徴とする請求項１５乃至請求項２６のいずれか一項に記載の液晶表示装置の輝度むら補正方法に存する。
また、本発明の請求項２８に係る発明の要旨は、前記エリア補正データは、前記バックライト用ランプによるエリアごとの輝度が予め定めた基準輝度レベルになるように生成されることを特徴とする請求項１５乃至請求項２７のいずれか一項に記載の液晶表示装置の輝度むら補正方法に存する。
【発明の効果】
【００１０】
本発明によれば、表示画面のサイズ、バックライト光源の個体差、配置の違いが有っても補正値を変更するだけで一律に補正することができる。
また、本発明によれば、表示画面の輝度むらをなくすように自動調整することが可能となり、表示画面の輝度の均一精度が向上する効果がある。
また、表示画面の輝度を落とさず輝度の均一化ができ、高輝度領域で高画質表示が可能となる。
【発明を実施するための最良の形態】
【００１１】
まず、本発明の概念を説明する。次に、本発明を実施するための最良の形態を、図面を参照して具体的に説明する。
【００１２】
図１は液晶表示装置のバックライトの光源として使用する冷陰極管の配置を示したものである。図１において１はＵ字の形状をした冷陰極管である。２は冷陰極管１を取り付けるケーシングである。図１は冷陰極管１がケーシング２に取り付けられて配置された様子を示している。ケーシング２は冷陰極管１の取り付け枠の役割をすると共に反射板の役割をしている。図１には図示していないが、液晶表示装置にはこの他に液晶表示パネル、光拡散板などが備わっている。これら液晶表示パネル、光拡散板、冷陰極管１、ケーシング２は例えば特開平８−９４８４５号公報（特許文献１）の図１に示されたように重ねあわされて組み立てられる。
【００１３】
図１に示したようなＵ字の形状をした冷陰極管１は、図の如く一方側に駆動部３、他方側に屈曲部４を有している。この冷陰極管１は、駆動部３側が屈曲部４側に対し明るい（高輝度）という特徴を有している。これはＵ字の形状をした冷陰極管の特徴である。
【００１４】
このような特性を有する冷陰極管１を図１のように配列して取り付けた液晶表示装置は、図２のように、その表示画面５側から見ると、冷陰極管１の駆動部３側（符号５−１で示した部分）が明るく、屈曲部４側（符号５−２で示した部分）が暗くなった、輝度勾配を有するものとなる。なお、符号５で示された枠内の輝度勾配は、以下の実施の形態で説明するように、冷陰極管１による輝度勾配と、冷陰極管１の液晶表示パネルを通過してきた光の輝度勾配の両方の概略イメージを示したものである。
【００１５】
図３は本発明の輝度むら改善の概念を説明する特性図である。横軸に表示画面５の幅方向の距離が取ってあり、縦軸に対応する距離ｘに対する表示画面５の輝度ｙがとってある。
【００１６】
図３の輝度特性グラフの曲線６は補正前の冷陰極管１そのものによる輝度特性を示している。曲線６のＡで示した点は最も暗い部分を示している。７は表示画面の所望する明るさを示す基準輝度レベルである。曲線８は曲線６のＡ点を基準輝度レベル７のＢで示した点に合わせたときの特性グラフである。したがって曲線８の輝度は全て基準輝度レベル７以上となる。
【００１７】
曲線９は輝度むらを表示データにより補正するためのエリア補正係数特性を示している。曲線９は上記Ｂ点でエリア補正係数を１として、輝度レベルを変えない。そして、曲線８のＢ点を越えた値のところでは、曲線９のエリア補正係数は１より小さく、曲線８の値に曲線９のエリア補正係数の値を掛けたとき、基準輝度レベル７に一致するように値が設定されている。
【００１８】
１０は曲線８の値と曲線９の値を掛け合わせた後の補正後輝度特性を示している。すなわち、本発明は光源による輝度むらを表示データの明暗で補正して、液晶表示画面の表面から出てくる光の輝度むらをなくすようにしたものである。図３から分かるように、補正後輝度特性１０は、基準輝度レベル７に一致した水平な直線の特性、すなわち輝度むらのない特性となっている。
【００１９】
図１ではＵ字の形状をした冷陰極管の例を示したが、本発明の概念の説明から、Ｕ字の形状に限らず、別形状の冷陰極管を使用する場合であっても有効である。また、冷陰極管に限定されず、輝度むらを生じてしまうような別方式の光源であっても、本発明は有効である。
【００２０】
（第１の実施の形態）
図４は本発明の第１の実施の形態による液晶表示装置の制御回路構成を示したものである。
１１は制御回路全体を制御するマイクロコンピュータ（以下マイコンという）である。１３はランプ輝度制御回路である。１４は図１に示したような冷陰極管１を配列したバックライト用ランプである。
マイコン１１は、輝度設定信号１２を入力して、輝度設定信号１２の信号レベルに合わせるようにバックライト用ランプ１４の輝度をランプ輝度制御回路１３により調整する。この輝度設定信号１２による輝度調整は輝度むら調整を行うことができないので、全体の明るさを調整するものとなる。輝度設定信号１２の信号レベルはユーザが輝度調整つまみなどを操作することにより変えることができる。
【００２１】
１５は表示画面の輝度を測定する輝度センサである。輝度センサ１５は液晶表示装置の表示画面をマトリックス状に区切ったエリアでバックライト用ランプ１４の輝度を測定するようになっている。１６は輝度補正データ生成回路であり、輝度センサ１５で測定された輝度データを取り込み階調補正係数データと輝度むら補正データを生成する。１７はメモリであり、輝度補正データ生成回路１６で生成された階調補正係数データと輝度むら補正データを記憶する。階調補正係数データは複数有る輝度センサ１５からの測定データを平均して、その平均値を予め定めた基準値と比較し生成する。また、輝度むら補正データは輝度センサ１５の各個ごとのデータによりその輝度センサ１５が位置するエリアごとの輝度データに基づいて生成される。
【００２２】
１８は階調補正係数テーブル（２５６Ｂｙｔｅ）であり、階調補正係数データを映像データ２１とメモリ１７から取り込んで記憶する。１９はエリア補正係数テーブル（２５６Ｂｙｔｅ）であり、エリア補正係数データをメモリ１７から取り込んで記憶する。階調補正係数テーブル１８、エリア補正係数テーブル１９は参照テーブル（ＬＵＴメモリ）２０を構成している。２２は映像データの階調補正、輝度補正、色補正の演算を行う演算回路である。演算回路２２は映像データ２１が入力され、階調補正、輝度補正の演算を行う際に階調補正係数テーブル１８の階調補正係数データ、エリア補正係数テーブル１９のエリア補正係数を参照する。
【００２３】
上記において、輝度センサ１５、輝度補正データ生成回路１６、メモリ１７を液晶表示装置の内部に備え、マイコン指令により補正データを更新するような使い方ができる。この場合には輝度センサ１５はバックライト用ランプ１４からの輝度を測定するものとなる。
【００２４】
また、輝度センサ１５、輝度補正データ生成回路１６、メモリ１７を外部取り付けとし、階調補正係数テーブル１８のデータとエリア補正係数テーブル１９のデータを、液晶表示装置の製品出荷時の調整、検査時、或いは再調整時の設定のみに使用することもできる。図５はこの場合の構成図を示したものである。図５において、４８は外付け部分を示しており、４５は輝度センサ１５に代わる輝度センサ、４６は輝度補正データ生成回路１６に代わる輝度補正データ生成回路、４７はメモリ１７に代わる外部メモリである。この場合、輝度センサ４５は、液晶画面の表面からの光を測定するように配置され、液晶表示パネル２６を通過して来たバックライト用ランプの光を測定することになるので、測定中は表示データによる輝度補正を行っていない状態、例えば特定のテスト用表示画面で測定するようにする。外部メモリに記憶されたデータはデータ入力端子４９から階調補正係数テーブル１８、エリア補正係数テーブル１９に入力される。
【００２５】
２３は表示データ切替回路であり、映像データ２１と演算回路２２からの信号とマイコン１１からの表示データの切替信号２４に基づき、表示データ２５を液晶表示パネル２６に出力する。
【００２６】
本実施の形態によれば、表示画面のサイズ、バックライト光源の個体差、配置の違いが有っても補正値を変更するだけで一律に補正することができる。また、表示画面の輝度むらをなくすように自動調整することが可能となり、表示画面の輝度の均一精度が向上する。また、表示画面の輝度を落とさず輝度の均一化ができ、高輝度領域で高画質表示が可能となる。
【００２７】
（第２の実施の形態）
図６は本発明の第２の実施の形態による液晶表示装置の制御回路構成を示したものである。
１１は制御回路全体を制御するマイコンである。１３はランプ輝度制御回路である。１４は図１に示したような冷陰極管１を配列したバックライト用ランプである。
マイコン１１は、輝度設定信号３１を入力して、輝度設定信号３１の信号レベルに合わせるようにバックライト用ランプ１４の輝度をランプ輝度制御回路１３により調整する。この輝度設定信号３１による輝度調整は図３の曲線６のＡ点（画面の最も暗い部分の輝度）を基準輝度レベル７に合わせるようにＢ点に補正する輝度調整である。この輝度設定信号３１による補正により、バックライト用ランプの輝度むらによる最も暗い部分の輝度レベル（Ａ点）が基準レベルに合うことになる。
【００２８】
１５は表示画面の輝度を測定する輝度センサである。輝度センサ１５は液晶表示装置の表示画面をマトリックス状に区切ったエリアで輝度を測定するようになっている。３０は輝度補正データ生成回路であり、輝度センサ１５で測定された輝度データを取り込み輝度設定信号３１とエリア補正係数データ３２を生成する。輝度設定信号３１は複数有る輝度センサ１５からの測定データの一番小さな値と予め定めた基準輝度レベル７の値の差に基づいて生成される。また、輝度むら補正データは輝度センサ１５の各個ごとのデータによりその輝度センサ１５が位置するエリアごとの輝度データに基づいて生成される。
【００２９】
３３は階調補正係数テーブル（２５６Ｂｙｔｅ）であり、階調補正係数データを映像データ２１から取り込んで記憶する。３４はエリア補正係数テーブル（２５６Ｂｙｔｅ）であり、エリア補正係数を輝度補正データ生成回路３０から取り込んで記憶する。階調補正係数テーブル３３、エリア補正係数テーブル３４は参照テーブル（ＬＵＴメモリ）３５を構成している。２２は映像データの階調補正、輝度補正、色補正の演算を行う演算回路である。演算回路２２は映像データ２１が入力され、階調補正、輝度補正の演算を行う際に階調補正係数テーブル３３の階調補正係数データ、エリア補正係数テーブル３４のエリア補正係数を参照する。
【００３０】
上記において、輝度センサ１５、輝度補正データ生成回路３０は液晶表示装置の内部に備わり、マイコン指令により補正データを更新する。この場合は、輝度センサ１５はバックライト用ランプからの輝度を測定する。
【００３１】
２３は表示データ切替回路であり、映像データ２１と演算回路２２からの信号とマイコン１１からの表示データ切替信号２４に基づき、表示データ２５を出力する。
【００３２】
本実施の形態によれば、表示画面のサイズ、バックライト光源の個体差、配置の違いが有っても補正値を変更するだけで一律に補正することができる。また、表示画面の輝度むらをなくすように自動調整することが可能となり、表示画面の輝度の均一精度が向上する。また、表示画面の輝度を落とさず輝度の均一化ができ、高輝度領域で高画質表示が可能となる。
【００３３】
以上、具体的な実施の形態によって本発明を説明したが、本発明では、Ｕ字の形状をした冷陰極管に限らず、別形状の冷陰極管を使用することもできる。また、冷陰極管に限定されず、輝度むらを生じてしまうような別方式の光源であってもよい。例えばＥＬ素子、発光ダイオードなどを利用したバックライト方式にも適用することができる。
また、本発明は上記実施の形態で挙げたものに限定されず、本発明の要旨の範囲内で変更して実施することができることは言うまでもない。
【産業上の利用可能性】
【００３４】
本発明は、テレビ、パソコン、携帯端末（ＰＤＡ、携帯電話など）、車載用ＡＶ機器など各種映像表示装置の液晶表示画面の輝度むら補正に広く利用できる。
【図面の簡単な説明】
【００３５】
【図１】本発明が適用される液晶表示装置のバックライト用ランプの一例を示す図である。
【図２】本発明が適用される液晶表示装置の輝度むらの一例を示す図である。
【図３】本発明の概要を説明する輝度特性図である。
【図４】本発明の第１の実施の形態による液晶表示装置の制御回路構成を示す図である。
【図５】本発明の第１の実施の形態による液晶表示装置の制御回路構成の変形例を示す図である。
【図６】本発明の第２の実施の形態による液晶表示装置の制御回路構成を示す図である。
【符号の説明】
【００３６】
１・・・冷陰極管
２・・・ケーシング
３・・・駆動部
４・・・屈曲部
５・・・表示画面
６、８〜１０・・・輝度特性グラフの曲線
７・・・基準輝度レベル
１１・・・マイコン（マイクロコンピュータ）
１２・・・輝度設定信号
１３・・・ランプ輝度制御回路
１４・・・バックライト用ランプ
１５、４５・・・輝度センサ
１６、３０、４６・・・輝度補正データ生成回路
１７・・・メモリ
１８、３３・・・階調補正係数テーブル
１９、３４・・・エリア補正係数テーブル
２０、３５・・・参照テーブル
２１・・・映像データ
２２・・・演算回路
２３・・・表示データ切替回路
２４・・・切替信号
２５・・・表示データ
２６・・・液晶表示パネル
３１・・・輝度設定信号
３２・・・エリア補正係数データ
４７・・・外部メモリ
４８・・・外付け部分
４９・・・データ入力端子
【図１】
2006330187.tif 000003
【図２】
2006330187.tif 000004
【図３】
2006330187.tif 000005
【図４】
2006330187.tif 000006
【図５】
2006330187.tif 000007
【図６】
2006330187.tif 000008